(57)【要約】【課題】蓋の開操作を行い易くすることができる保冷箱の開閉装置を提供する。【解決手段】保冷箱の開閉装置１ａは、箱本体２と、箱本体２の開口を開閉する蓋３とを備える保冷箱に設けられる開閉装置であって、箱側掛止部４と、操作部５と、蓋側掛止部６と付勢部材とを備える。箱側掛止部４は、箱本体２側に設けられる。操作部５は、蓋３の上面側に面して配置される上面操作部５８と、蓋３の側面側に面して配置される側面操作部５９とを有し、上面操作部５８の上方向への移動と側面操作部５９の内側方向への移動とが連動するように、蓋３側に設けられる。蓋側掛止部６は、蓋３側に設けられ、箱側掛止部４と係合する係合位置方向に付勢されており、上面操作部５８が上方向へ引き上げられ又は側面操作部５９が内側方向へ押圧されることにより係合位置から解除位置へ移動する。付勢部材は、蓋側掛止部を箱側掛止部と係合する係合位置方向に付勢する。【選択図】図６
2007331839.tif 000002
【特許請求の範囲】
【請求項１】
箱本体と、前記箱本体の開口を開閉する蓋とを備える保冷箱に設けられる開閉装置であって、
前記箱本体側に設けられる箱側掛止部と、
前記蓋の上面側に面して配置される上面操作部と、前記蓋の側面側に面して配置される側面操作部とを有し、前記上面操作部の上方向への移動と前記側面操作部の内側方向への移動とが連動するように前記蓋側に設けられる操作部と、
前記蓋側に設けられ、前記箱側掛止部と係合する係合位置方向に付勢されており、前記上面操作部が上方向へ引き上げられ又は前記側面操作部が内側方向へ押圧されることにより前記係合位置から解除位置へ移動する蓋側掛止部と、
前記蓋側掛止部を前記箱側掛止部と係合する係合位置方向に付勢する付勢部材と、
を備える保冷箱の開閉装置。
【請求項２】
箱本体の開口を開閉する蓋に組み込まれて、前記箱本体に設けられた箱側掛止部に係脱する蓋側掛止部と、前記蓋側掛止部を前記箱側掛止部と係合する係合位置方向へ付勢している付勢部材と、前記蓋側掛止部を前記係合位置より解除位置へ切り換える操作部とを有した開閉装置において、
前記操作部は、前記蓋の上面側に面して配置される上面操作部と、前記蓋の側面側に面して配置される側面操作部とを有し、前記上面操作部の上方向への移動と前記側面操作部の内側方向への移動とが連動するように前記蓋側に設けられ、
前記蓋側掛止部は、前記蓋に設けられて前記箱側掛止部を下開口より挿入可能な空間部に配置され、前記付勢部材により前記空間部を形成している外側立壁部の内面方向へ付勢され、前記上面操作部を上方向に引き上げる又は前記側面操作部を前記蓋の外側から内側方向へ押圧することにより前記付勢部材の付勢力に抗し回動されて前記係合位置より解除位置へ切り換えられることを特徴とする保冷箱の開閉装置。
【請求項３】
前記操作部は、前記上面操作部と前記側面操作部との間に設けられた回転軸を中心に揺動可能に設けられる、
請求項１または２に記載の保冷箱の開閉装置。
【請求項４】
前記操作部と前記蓋側掛止部とは別体であり、
前記操作部の動きを前記蓋側掛止部に伝達する伝達部をさらに備える、
請求項１から３のいずれかに記載の保冷箱の開閉装置。
【請求項５】
前記蓋側掛止部は、前記操作部と横並びに一体に形成されている、
請求項１から３のいずれかに記載の保冷箱の開閉装置。
【請求項６】
前記操作部は、前記蓋の上面と側面とに亘って設けられた凹部に取り付けられ、前記上面操作部から前記側面操作部までに亘る部分が外部に露出する、
請求項１から５のいずれかに記載の保冷箱の開閉装置。
【請求項７】
前記操作部の外面は、前記蓋の上面および側面と面一となっている、
請求項６に記載の保冷箱の開閉装置。
【請求項８】
前記蓋の上面と側面とに亘って設けられた凹部に取り付けられ、前記凹部との間で前記操作部が収納される空間部を形成するカバー部材をさらに備え、
前記カバー部材の上面と側面とには開口が設けられており、
前記操作部は、前記上面操作部が前記カバー部材の上面の開口から外部に露出し、前記側面操作部が前記カバー部材の側面の開口から外部に露出するように、前記空間部に収納される、
請求項１から５のいずれかに記載の保冷箱の開閉装置。
【請求項９】
前記付勢部材は、圧縮コイルバネである、
請求項１から８のいずれかに記載の保冷箱の開閉装置。
【請求項１０】
前記蓋側掛止部の下端には、前記箱側掛止部と係合する爪部が設けられており、
前記蓋側掛止部の上端には、前記圧縮コイルバネが取り付けられるバネ取付部が設けられている、
請求項９に記載の保冷箱の開閉装置。
【請求項１１】
前記付勢部材は、前記蓋側掛止部の前記箱側掛止部と反対側に設けられた円錐バネである、
請求項１から８のいずれかに記載の保冷箱の開閉装置。
【発明の詳細な説明】
【技術分野】
【０００１】
本発明は、保冷箱の開閉装置に関する。
【背景技術】
【０００２】
従来、保冷箱に設けられる開閉装置は、蓋側に回動自在に設けられる蓋側掛止部と、箱本体の側面に設けられる箱側掛止部とを備えており、蓋側掛止部が箱本体の側面に近接して箱側掛止部に係合することによって蓋が箱本体を閉じた状態で固定される。そして、蓋を開く場合は、蓋側掛止部を係合位置から箱本体の外側へ向けて回動することにより箱側掛止部との係合を解除する（特許文献１参照）。
【特許文献１】特開平９−２６８８３３号公報
【発明の開示】
【発明が解決しようとする課題】
【０００３】
しかし、保冷箱は、釣舟や車両等、設置空間が制限される場所に置かれることがあり、保冷箱の周囲に十分な空間がない場合がある。この場合、上記の開閉装置のように、蓋側掛止部を箱本体の外側に向けて回動させることにより解除位置に移動させる構成では、蓋側掛止部を回動させることが困難となり、蓋を開くことができないことも生じ得る。
【０００４】
本発明の課題は、蓋の開操作を行い易くすることができる保冷箱の開閉装置を提供することにある。
【課題を解決するための手段】
【０００５】
第１発明に係る保冷箱の開閉装置は、箱本体と、箱本体の開口を開閉する蓋とを備える保冷箱に設けられる開閉装置であって、箱側掛止部と、操作部と、蓋側掛止部と、付勢部材とを備える。箱側掛止部は、箱本体側に設けられる。操作部は、蓋の上面側に面して配置される上面操作部と、蓋の側面側に面して配置される側面操作部とを有し、上面操作部の上方向への移動と側面操作部の内側方向への移動とが連動するように蓋側に設けられる。蓋側掛止部は、蓋側に設けられ、箱側掛止部と係合する係合位置方向に付勢されており、上面操作部が上方向へ引き上げられ又は側面操作部が内側方向へ押圧されることにより係合位置から解除位置へ移動する。付勢部材は、蓋側掛止部を箱側掛止部と係合する係合位置方向に付勢する。
【０００６】
この保冷箱の開閉装置では、上面操作部の上方向への移動と側面操作部の内側方向への移動とが連動するため、蓋の開操作の際に、上面操作部による操作と側面操作部による操作との２通りの操作を選択することができる。例えば、保冷箱の側方の空間が狭くて側面操作部の操作が困難な場合には、上面操作部を上方向に引き上げることによって、蓋の開操作を行うことができる。これにより、この保冷箱の開閉装置では、蓋の開操作を行い易くすることができる。
【０００７】
第２発明に係る保冷箱の開閉装置は、箱本体の開口を開閉する蓋に組み込まれて、箱本体に設けられた箱側掛止部に係脱する蓋側掛止部と、蓋側掛止部を箱側掛止部と係合する係合位置方向へ付勢している付勢部材と、蓋側掛止部を係合位置より解除位置へ切り換える操作部とを有した開閉装置において、操作部は、蓋の上面側に面して配置される上面操作部と、前記蓋の側面側に面して配置される側面操作部とを有し、上面操作部の上方向への移動と側面操作部の内側方向への移動とが連動するように蓋側に設けられ、蓋側掛止部は、蓋に設けられて箱側掛止部を下開口より挿入可能な空間部に配置され、付勢部材により空間部を形成している外側立壁部の内面方向へ付勢され、上面操作部を上方向に引き上げる又は側面操作部を蓋の外側から内側方向へ押圧することにより付勢部材の付勢力に抗し回動されて係合位置より解除位置へ切り換えられることを特徴とする。
【０００８】
この保冷箱の開閉装置では、上面操作部の上方向への移動と側面操作部の内側方向への移動とが連動するため、蓋の開操作の際に、上面操作部による操作と側面操作部による操作との２通りの操作を選択することができる。例えば、保冷箱の側方の空間が狭くて側面操作部の操作が困難な場合には、上面操作部を上方向に引き上げることによって、蓋の開操作を行うことができる。これにより、この保冷箱の開閉装置では、蓋の開操作を行い易くすることができる。
【０００９】
第３発明に係る保冷箱の開閉装置は、第１発明または第２発明の保冷箱の開閉装置であって、操作部は、上面操作部と側面操作部との間に設けられた回転軸を中心に揺動可能に設けられる。
【００１０】
この保冷箱の開閉装置では、上面操作部を引き上げると、操作部が回転軸を中心に回動し、側面操作部が内側方向に移動する。また、側面操作部を内側方向に押圧すると、操作部が回転軸を中心に回動し、上面操作部が上方へ移動する。このように、この保冷箱の開閉装置では、簡易な構造で上面操作部と側面操作部とを連動させることができる。
【００１１】
第４発明に係る保冷箱の開閉装置は、第１発明から第３発明の保冷箱の開閉装置であって、操作部と蓋側掛止部とは別体であり、操作部の動きを蓋側掛止部に伝達する伝達部をさらに備える。
【００１２】
この保冷箱の開閉装置では、操作部と蓋側掛止部とは別体であり、操作部の動きが伝達部によって蓋側掛止部に伝達される。このため、操作部と蓋側掛止部の動作の自由度を向上させることができる。例えば、操作部と蓋側掛止部とが別体であれば、操作部の移動量を蓋側掛止部の移動量と比べて大きくすることも容易であり、操作部を少し操作しただけで誤って蓋が開いてしまうことを防止することができる。また、蓋側掛止部を操作部の動きに連動して操作部と同方向に移動させることに限らず、操作部と異なる方向に移動させることも可能である。
【００１３】
第５発明に係る保冷箱の開閉装置は、第１発明から第３発明の保冷箱の開閉装置であって、蓋側掛止部は、操作部と横並びに一体に形成されている。
【００１４】
この保冷箱の開閉装置では、蓋側掛止部が操作部と横並びに一体に形成されているため、部品点数を削減することができる。
【００１５】
第６発明に係る保冷箱の開閉装置は、第１発明から第５発明のいずれかの保冷箱の開閉装置であって、操作部は、蓋の上面と側面とに亘って設けられた凹部に取り付けられ、上面操作部から側面操作部までに亘る部分が外部に露出する。
【００１６】
この保冷箱の開閉装置では、操作部のうち、上面操作部から側面操作部までに亘る部分が外部に露出しているため、使用者が触れることができる部分が大きい。このため、操作部の操作を行い易くすることができる。
【００１７】
第７発明に係る保冷箱の開閉装置は、第６発明の保冷箱の開閉装置であって、操作部の外面は、蓋の上面および側面と面一となっている。
【００１８】
この保冷箱の開閉装置では、操作部の外面が蓋の上面および側面と面一となっているため、保冷箱の美観を向上させることができる。
【００１９】
第８発明に係る保冷箱の開閉装置は、第１発明から第５発明のいずれかの保冷箱の開閉装置であって、蓋の上面と側面とに亘って設けられた凹部に取り付けられ、凹部との間で操作部が収納される空間部を形成するカバー部材をさらに備える。カバー部材の上面と側面とには開口が設けられている。そして、操作部は、上面操作部がカバー部材の上面の開口から外部に露出し、側面操作部がカバー部材の側面の開口から外部に露出するように、空間部に収納される。
【００２０】
この保冷箱の開閉装置では、カバーの上面と側面とに設けられた開口から上面操作部と側面操作部とが外部に露出する。このため、操作部のうち外部に露出する部分の面積が小さくなる。これにより、保冷箱の美観を向上させることができる。
【００２１】
第９発明に係る保冷箱の開閉装置は、第１発明から第８発明のいずれかの保冷箱の開閉装置であって、付勢部材は、圧縮コイルバネである。
【００２２】
この保冷箱の開閉装置では、付勢部材として圧縮コイルバネが用いられる。このため、ねじりコイルバネが用いられる場合と比べて、蓋側掛止部から伝わる力に対して効率よく反力を生じさせることができる。
【００２３】
第１０発明に係る保冷箱の開閉装置は、第９発明の保冷箱の開閉装置であって、蓋側掛止部の下端には、箱側掛止部と係合する爪部が設けられている。また、蓋側掛止部の上端には、圧縮コイルバネが取り付けられるバネ取付部が設けられている。
【００２４】
この保冷箱の開閉装置では、バネ取付部が箱側掛止部の上端に設けられている。このため、バネ取付部への圧縮コイルバネの取付を容易に行うことができる。
【００２５】
第１１発明に係る保冷箱の開閉装置は、第１発明から第８発明のいずれかの保冷箱の開閉装置であって、付勢部材は、蓋側掛止部の箱側掛止部と反対側に設けられた円錐バネである。
【００２６】
この保冷箱の開閉装置では、付勢部材が円錐バネであるため、圧縮された状態において軸方向長さを短くすることができる。このため、蓋側掛止部の箱側掛止部と反対側の空間が狭い場合でも、付勢部材を容易に配置することができる。
【発明の効果】
【００２７】
本発明に係る保冷箱の開閉装置では、上面操作部の上方向への移動と側面操作部の内側方向への移動とが連動するため、蓋の開操作の際に、上面操作部による操作と側面操作部による操作との２通りの操作を選択することができる。例えば、保冷箱の側方の空間が狭くて側面操作部の操作が困難な場合には、上面操作部を上方向に引き上げることによって、蓋の開操作を行うことができる。これにより、この保冷箱の開閉装置では、蓋の開操作を行い易くすることができる。
【発明を実施するための最良の形態】
【００２８】
＜第１実施形態＞
本発明の第１実施形態にかかる開閉装置１ａが採用された保冷箱１００の外観概略図を図１に示す。保冷箱１００は、箱本体２と、箱本体２の開口を開閉する蓋３とを備えており、開閉装置１ａは、蓋３および箱本体２に組み込まれ、蓋３の開閉を行うための装置である。この保冷箱１００では、２つの開閉装置１ａが設けられており、全閉状態と全開状態と片開き状態との３種類の態様で蓋の開閉を行うことができる。全閉状態は、２つの開閉装置１ａが共に閉状態であり、蓋３が箱本体２を閉じた状態である。全開状態は、２つの開閉装置１ａが共に開放状態であり、蓋３が箱本体２から完全に離脱した状態である。片開き状態は、一方の開閉装置１ａが開放状態であり且つ他方の開閉装置１ａが閉状態であり、蓋３の一側端が箱本体２に対して回動可能に固定され蓋３の他側端が箱本体２から離れた状態である。
【００２９】
〔保冷箱１００の構成〕
保冷箱１００は、魚釣り等に用いられるものであり、上述したように、箱本体２と、箱本体２の開口を開閉する蓋３とを備えている。
【００３０】
箱本体２は、上面が開口した樹脂製の箱状の部材であり、上面視において概ね長方形の外形を有している。箱本体２は、上面視における長方形の長辺を構成する一対の箱側長側壁２３，２４と、長方形の短辺を構成する一対の箱側短側壁２１，２２と、底壁２５とを有しており、これらの側壁２１−２４および底壁２５の内部には断熱材ＩＬが充填されている（図３参照）。箱側長側壁２３の上端面には、左右に延びて上端面の外縁側を欠如した第１箱側凹部２６が設けられている。箱側長側壁２４も同様の構造である。
【００３１】
蓋３は、箱本体２の上面の開口を開閉する部材である。蓋３は、上面視において概ね長方形の外形を有する樹脂製の部材であり、内部には断熱材ＩＬが充填されている（図３参照）。蓋３の側壁のうち、箱側長側壁２３と面一となる蓋側長側壁３１には、内側方向に凹んだ第１蓋側凹部３３が設けられている。また、第１蓋側凹部３３の側面の長手方向中間部分には、内側方向にさらに凹んだ第２蓋側凹部３５が形成されている。第１蓋側凹部３３および第２蓋側凹部３５は、蓋３の上面、側面、下面に亘って設けられている。第１蓋側凹部３３は第１箱側凹部２６と対応して設けられている。蓋側長側壁３１の反対側の蓋側長側壁３２も同様の構造である。
【００３２】
なお、蓋３の下面３ｂには、箱本体２の開口縁部２８に対向する略枠状の形状を有するゴム製のシール材３６が装着されている（図３参照）。シール材３６は、蓋３が箱本体２を閉じ、且つ、開閉装置１ａによってロックされた状態で、箱本体２の開口縁部２８に圧接されて空気漏れを防ぐ。
【００３３】
なお、蓋３は、箱側長側壁２３，２４および蓋側長側壁３１，３２の長手方向に平行な軸を中心に回転することにより開閉される。以下、「軸方向」と呼ぶ場合は、箱側長側壁２３，２４および蓋側長側壁３１，３２の長手方向に平行な方向を意味するものとする。
【００３４】
〔開閉装置１ａの構成〕
以下、２つの開閉装置１ａのうち一方の開閉装置１ａについて説明するが、他方の開閉装置１ａも同様の構造である。開閉装置１ａは、図１から図４に示すように、箱側掛止部４、操作部５、蓋側掛止部６、カバー部材７などを備えている。箱側掛止部４は箱本体２側に組み込まれ、操作部５、蓋側掛止部６、カバー部材７は蓋３側に組み込まれる。なお、図２は、図１におけるＡ−Ａ断面の概略図を示している。
【００３５】
〈箱側掛止部４〉
図２に示すように、箱側掛止部４は、第１箱側凹部２６に軸方向に距離を隔てて設けられており、片側で２箇所、両側で合計４箇所に設けられている。箱側掛止部４は、図２および図３に示すように、軸部材４１と、軸部材４１を水平に支持するブラケット４２とを有している。軸部材４１とブラケット４２とは共に金属製である。軸部材４１は、第１箱側凹部２６の長手方向に平行であり、図３に示すように、第１箱側凹部２６の底面２６ａおよび側面２６ｂから離れて設けられている。ブラケット４２は、軸部材４１の両端を支持しており、第１箱側凹部２６の側面２６ｂにネジ等の固定手段によって固定されている。
【００３６】
〈操作部５〉
操作部５は、保冷箱１００の使用者等に操作され、後述する蓋側掛止部６を箱側掛止部４と係合する係合位置から解除位置へ切り換えるための部材である。操作部５は、図１に示すように、軸方向に離れて配置されたカバー部材７の間であって、蓋３の角部に設けられた第２蓋側凹部３５に設けられている。操作部５は、図４に示すように、概ね逆Ｌ字型の断面形状を有しており、上壁部５１および側壁部５２を有する。上壁部５１の外面は、蓋３の上面３ａと面一となっており、上面視において長方形の外形を有している。側壁部５２の外面は、蓋３の側面と面一となっており、側面視において長方形の外形を有している。このため、操作部５の上壁部５１と側壁部５２との外面は、蓋３の角部と面一となっており、外部に露出している（図１参照）。
【００３７】
図２および図４に示すように、操作部５の内面には、複数の上部リブ５３と、複数の下部リブ５４とが設けられている。複数の上部リブ５３は、操作部５の内面の上部に軸方向に並んで設けられており、金属製の第１支持シャフト５５が通される貫通孔が設けられている。操作部５は、この第１支持シャフト５５を介してカバー部材７に所定角度だけ回動可能に支持されている。また、第１支持シャフト５５にはコイル型の付勢部材５６が取り付けられており、操作部５は、付勢部材５６によって付勢されている。操作部５が操作されていない通常状態では、操作部５の上壁部５１と側壁部５２との外面が蓋３の角部と面一となるように、操作部５の姿勢が保持されている。複数の下部リブ５４は、上部リブ５３の下方に設けられている。複数の下部リブ５４は、軸方向に並んで配置されており、金属製の伝達シャフト５７が通される貫通孔が設けられている。操作部５の動作はこの伝達シャフト５７を介して蓋側掛止部６に伝達される。
【００３８】
操作部５の上壁部５１の内側端部は、蓋３の上面３ａ側に面して配置されており、また、上壁部５１の内側端部と第２蓋側凹部３５の側面３５ａとの間には、複数本の指を挿入可能な程度の隙間が設けられている。これにより、操作部５の上壁部５１の内側端部は、蓋３の上方から操作部５を操作する際に指が掛けられる上面操作部５８となっている。この上面操作部５８は上述した付勢部材５６によって下方へ付勢されている。
【００３９】
また、操作部５の側壁部５２の外面下部は、蓋３の側面側に面して配置されており、蓋３の側方から操作部５を操作する際に指で押圧される側面操作部５９となっている。この側面操作部５９は上述した付勢部材５６によって外側方向に付勢されている。なお、図２に示すように、側壁部５２の下端部５２ａは、第１箱側凹部２６の底面２６ａに近接しており、僅かな隙間を隔てて配置されている。
【００４０】
操作部５は、第１支持シャフト５５によって支持されており、この第１支持シャフト５５は、図４に示すように、上面操作部５８と側面操作部５９との間に設けられている。このため、操作部５は、上面操作部５８と側面操作部５９との間に設けられた回転軸を中心に揺動可能であり、上面操作部５８が移動すると、操作部５全体が回動し、側面操作部５９も移動する（図６参照）。従って、上面操作部５８が上方向へ移動すると、これに連動して、側面操作部５９が内側方向へ移動する。なお、この操作部５は、上面操作部５８から側面操作部５９までに亘る部分が外部に露出しており、上壁部５１と側壁部５２との外面全体での操作も可能である。
【００４１】
〈蓋側掛止部６〉
蓋側掛止部６は、箱側掛止部４に係脱する部分であり、図２に示すように、操作部５の軸方向両側方にそれぞれ設けられている。蓋側掛止部６は、操作部５とは別体の部品であり、樹脂から成形されている。蓋側掛止部６は、図３に示すように、カバー部材７に取り付けられた状態で、カバー部材７によって形成された空間部に配置され、箱側掛止部４に対向する位置に配置される。蓋側掛止部６は、本体部６１と、本体部６１の先端（下端）に設けられた爪部６２とを有している。
【００４２】
本体部６１の上部には、軸方向に貫通する上部貫通孔６３が設けられており、この上部貫通孔６３には、操作部５を支持する第１支持シャフト５５とは別体の第２支持シャフト６４が通される。蓋側掛止部６は、この第２支持シャフト６４を介してカバー部材７に回動可能に支持される。第２支持シャフト６４には、コイル型の付勢部材６５が取り付けられており、蓋側掛止部６を箱側掛止部４と係合する係合位置方向（外側方向）へ付勢する。また、上部貫通孔６３の下部には軸方向に貫通する下部貫通孔６６が設けられている。下部貫通孔６６には、操作部５の下部リブ５４に通される伝達シャフト５７が通され、この伝達シャフト５７を介して操作部５の動きが蓋側掛止部６に伝達される。
【００４３】
爪部６２は、本体部６１の外側面から外側方向に突出したフック状の形状を有する。爪部６２は、外側方向に付勢されることにより、箱側掛止部４と係合する。上面操作部５８が上方向に引き上げられ又は側面操作部５９が蓋３の外側から内側方向へ押圧されると、この操作部５の動作と共に蓋側掛止部６が付勢部材５６，６５の付勢力に抗して内側方向に回動する（図６参照）。これにより、爪部６２が内側方向に移動し、係合位置から解除位置へ切り換えられる。
【００４４】
〈カバー部材７〉
カバー部材７は、樹脂製の部材であり、図１に示すように蓋３の第１蓋側凹部３３に装着され、図３に示すように蓋側掛止部６が収納される空間部を形成する。この空間部は、操作部５の両側方に設けられており、蓋３が箱本体２を閉じた状態では、箱側掛止部４が設けられている第１箱側凹部２６の上方に位置している。
【００４５】
カバー部材７は、略逆Ｌ形の断面形状の外壁部７１と、外壁部７１よりも内側に配置される内壁部７２とを有している。
【００４６】
外壁部７１は、蓋３、箱本体２、操作部５の対応部外面と略面一となる形状である。具体的には、外壁部７１の上面は蓋３の上面３ａおよび操作部５の上壁部５１の外面と面一となり、外壁部７１の側面は、蓋３の側面、箱本体２の側面、操作部５９の側壁部５２の外面と面一となる。
【００４７】
内壁部７２は、蓋側掛止部６の内側および下方を覆うように設けられる。内壁部７２の下面は、上方に嵌入する案内凹部７３を有しており、この案内凹部７３によって囲まれる空間は上方ほど狭くなるように形成されている。案内凹部７３の側面には切り欠き７４が設けられており、蓋側掛止部６の爪部６２が切り欠き７４を通して突出可能に設けられている。また、案内凹部７３は箱側掛止部４の上方に位置しており、蓋３が閉じられる際には、箱側掛止部４は案内凹部７３によって爪部６２まで案内される。
【００４８】
なお、カバー部材７は、蓋３の第１蓋側凹部３３に装着された状態で蓋３の下面３ｂから下方に突き出した状態となる。この蓋３の下面３ｂから下方に突き出した部分は、第１箱側凹部２６にほぼ収まる大きさである。
【００４９】
〔開閉動作〕
次に、蓋を開閉する際の開閉装置１ａの動作を図３、図５、図６に基づいて説明する。
【００５０】
まず、図３に示すように、全開状態または片開き状態において開放されている開閉装置１ａでは、蓋側掛止部６が付勢部材５６，６５の付勢力により係合位置に保持されている。この係合位置では、蓋側掛止部６の爪部６２は、カバー部材７の内壁部７２の切り欠き７４から突出し、切り欠き７４に対向する案内凹部７３の側面に当接規制されている。
【００５１】
この状態から蓋３を箱本体２の上に重ねて開閉装置１ａを閉状態にする際、図５に示すように、箱側掛止部４の軸部材４１に蓋側掛止部６の爪部６２の円弧状の下面が当接し、蓋側掛止部６がこの当接による応力により内側へ一旦逃げ、爪部６２が軸部材４１の背面側を下方へ通過する。このとき、箱側掛止部４の軸部材４１は、案内凹部７３によって案内される。通過後は、蓋側掛止部６が付勢部材５６，６５の付勢力により外側方向（係合位置方向）に回動されて、爪部６２が軸部材４１と係合する（図６（ａ）参照）。
【００５２】
図６（ａ）は、閉状態での操作部５および蓋側掛止部６を示している。この状態ではシール材３６が箱本体２の開口縁部２８に圧接している。また、第１箱側凹部２６はカバー部材７および操作部５によって覆われた状態となる。なお、図６（ａ）および図６（ｂ）では、理解の容易のために、操作部５と蓋側掛止部６とを一図面に示しており、また、箱側掛止部４は軸部材４１のみを示している。
【００５３】
図６（ｂ）は、蓋３を箱本体２より外して全開状態とする場合、または、片開き状態とする際の過程を示している。この場合、２通りの開き方が選択可能である。１つは、側面操作部５９を操作して開く方法であり、もう１つは上面操作部５８を操作して開く方法である。
【００５４】
側面操作部５９を操作する場合、指で側面操作部５９を内側方向に押圧する。これにより、操作部５が回動し、側面操作部５９が付勢部材５６，６５の付勢力に抗して内側方向へ移動する。そして、この側面操作部５９の動きが伝達シャフト５７によって蓋側掛止部６に伝達され、蓋側掛止部６が側面操作部５９と同方向へすなわち内側方向へ回動する。これにより、軸部材４１に対する爪部６２の係合が解除される。この状態で、操作部５を上へ持ち上げると、操作部５と共に蓋３が上方に移動し、全開状態または片開き状態となる。
【００５５】
また、上面操作部５８を操作する場合は、指を上面操作部５８と第２蓋側凹部３５の縁部３５ａとの間の隙間に挿入し、上面操作部５８に指を掛けて引き上げる。これにより、操作部５が回動し、上面操作部５８が付勢部材５６，６５の付勢力に抗して上方へ移動する。そして、この上面操作部５８の動きが伝達シャフト５７を介して蓋側掛止部６に伝達され、蓋側掛止部６が内側方向へ回動する。これにより、軸部材４１に対する爪部６２の係合が解除される。そして、この状態で、操作部５を上へ持ち上げると、操作部５と共に蓋３が上方に移動し、全開状態または片開き状態となる。
【００５６】
なお、片開き状態における閉状態の開閉装置１ａでは、図７に示すように、箱側掛止部４の軸部材４１と、蓋側掛止部６の爪部６２とが互いに係合した状態で回動ヒンジとなり、これにより、蓋３が回動する。
【００５７】
〔特徴〕
（１）
この保冷箱１００の開閉装置１ａでは、側面操作部５９と上面操作部５８とを有する操作部５が揺動可能に設けられている。このため、側面操作部５９を内側方向へ押圧する操作と、上面操作部５８を上方に引き上げる操作とのいずれの操作が行われても、操作部５が回動して、蓋側掛止部６が係合位置から解除位置へと移動する。このため、保冷箱１００の蓋３を開く際に、２通りの開き方が可能である。すなわち、保冷箱１００の側方から指で側面操作部５９を押圧することにより、開閉装置１ａを開状態にすることができる。これにより、保冷箱１００の側方の空間が狭い場合でも、蓋３の開操作が可能である。また、保冷箱１００の側方の空間がさらに狭くて指を差し込むことができない場合であっても、上面操作部５８を上方向に引き上げることによって、蓋３の開操作を行うことができる。このように、この保冷箱１００の開閉装置１ａでは、蓋３の開操作が行い易くなっている。
【００５８】
（２）
この保冷箱１００の開閉装置１ａでは、操作部５と蓋側掛止部６が別体の部品であるため、操作部５と蓋側掛止部６の動作の自由度を向上させることができる。このため、設計の際に、操作部５と蓋側掛止部６との移動量を容易に調整することができる。
【００５９】
（３）
この保冷箱１００の開閉装置１ａでは、操作部５の上壁部５１および側壁部５２の全体が外部に露出している。このため、手で触れて操作することのできる部分が大きくなっており、操作が容易である。また、上壁部５１および側壁部５２は、通常状態では、蓋３の角部と面一となっているため、保冷箱１００の美観が向上している。
【００６０】
＜第２実施形態＞
本発明の第２実施形態に係る開閉装置１ｂが採用された保冷箱１０１の外観概略図を図８に示す。なお、図８は蓋３が箱本体２から外された全開状態を示している。
【００６１】
蓋３の蓋側長側壁３１，３２には、蓋３の下面３ｂ側が切り欠かれて内側方向に凹んだ第１蓋側凹部３７（図１０（ｂ）参照）と、第１蓋側凹部３７よりもさらに内側方向に凹んだ第２蓋側凹部３８とが設けられている。また、第１箱側凹部２６の軸方向中間部分には、第１箱側凹部２６の底面よりさらに下方に凹んだ第２箱側凹部２７が設けられている。なお、保冷箱１０１の他の構造については上記の第１実施形態の保冷箱１００と同様であるので説明を省略する。
【００６２】
〔開閉装置１ｂの構成〕
開閉装置１ｂは、図８から図１０に示すように、箱側掛止部４、操作部８、蓋側掛止部９、カバー部材１０などを備えている。箱側掛止部４は箱本体２側に組み込まれ、操作部８、蓋側掛止部９、カバー部材１０は蓋３側に組み込まれる。
【００６３】
箱側掛止部４は、第１実施形態と同様の構成であるので説明を省略する。
【００６４】
〈操作部８〉
操作部８は、保冷箱１０１の使用者等に操作され、後述する蓋側掛止部９を箱側掛止部４と係合する係合位置より解除位置へ切り換える部分である。操作部８は、全体がカバー部材１０の内側に形成される空間部（図１０参照）にほぼ収まる大きさであり、図９に示すように、カバー部材１０に対しブラケット８１、支持シャフト８２を介し所定角度だけ回動可能に支持されている。操作部８は、コイル型の付勢部材８３を介し外側方向へ付勢されている。操作部８は、側面操作部８４と上面操作部８５と連結部８６とを有している。
【００６５】
側面操作部８４は、図８および図１０（ａ）に示すように、カバー部材１０の側部開口１１において蓋３の側面側に面して配置される。側面操作部８４の外面には、手の先（複数本の指）が入る指掛け用の凹部８４ａが形成されている。
【００６６】
上面操作部８５は、カバー部材１０の上部開口１２および第２蓋側凹部３８において蓋３の上面３ａ側に面して配置される。上面操作部８５は、カバー部材１０の上部開口１２および第２蓋側凹部３８によって形成される概ね長方形の開口を通して外部に露出している。また、上面操作部８５と第２蓋側凹部３８の縁部３８ａとの間には、複数本の指を挿入可能な程度の隙間が形成されている。
【００６７】
連結部８６は、図９および図１０に示すように、側面操作部８４と上面操作部８５とを連結している部分である。連結部８６の外側側面には、軸方向に沿って並んだリブ８７が設けられている。これらのリブ８７には、操作部８を支持する金属製の支持シャフト８２が通される貫通孔８８が設けられている。操作部８は、この支持シャフト８２を介してカバー部材１０に支持されることにより、支持シャフト８２を中心に揺動可能とされ、上面操作部８５と側面操作部８４との動作が連動する。具体的には、図１０（ａ）の左側に示すように、上面操作部８５が上方向へ引き上げられると、操作部８全体が上面操作部８５と側面操作部８４との間の回転軸（支持シャフト８２）を中心に回動し、側面操作部８４が内側方向へ移動する。また、側面操作部８４が内側方向へ押圧されると、これに連動して、上面操作部８５が上方向へ移動する。
【００６８】
〈蓋側掛止部９〉
蓋側掛止部９は、箱側掛止部４に係脱する部分であり、図９に示すように、操作部８の軸方向両側方にそれぞれ設けられている。蓋側掛止部９は、操作部８、特に側面操作部８４と横並びに一体的に形成されており、蓋側掛止部９と操作部８とは一体成形された樹脂成形部品である。このため、蓋側掛止部９は、操作部８の移動と共に移動する。蓋側掛止部９は、図１０（ｂ）に示すように、カバー部材１０に取り付けられた状態で後述する空間部に配置され、箱側掛止部４に対向する位置に配置される。蓋側掛止部９は、略Ｌ字型の断面形状をなし、本体部９１と爪部９２とを有している。
【００６９】
本体部９１は、図９に示すように、操作部８と繋がっており、軸方向に貫通する貫通孔９３がその上部に設けられている。この貫通孔９３は、操作部８のリブ８７に設けられた貫通孔８８と軸方向に並んで設けられており、支持シャフト８２が通される。また、蓋側掛止部９の上端部の軸方向中間部分には、貫通孔９３に交差して凹部９４が設けられており、この凹部９４に付勢部材８３が配置される。付勢部材８３は支持シャフト８２に取り付けられ、蓋側掛止部９を箱側掛止部４と係合する係合位置方向へ付勢する。
【００７０】
爪部９２は、本体部９１の下部に設けられており、本体部９１の外側側面から外側方向に突出したフック状の形状を有する。
【００７１】
蓋側掛止部９は、付勢部材８３によりカバー部材１０の側壁部１３（外側立壁部）の内面方向すなわち外側方向へ付勢されている。蓋側掛止部９は、上面操作部８５を上方向に引き上げる又は側面操作部８４を蓋３の外側から内側方向へ押圧することにより、付勢部材８３の付勢力に抗して回動し、係合位置より解除位置へ切り換えられる。
【００７２】
〈カバー部材１０〉
カバー部材１０は、縦断面が略逆Ｌ形の樹脂製の部材であり、蓋３の第１蓋側凹部３７に装着されることにより、その内側に操作部８や蓋側掛止部９が収納される空間部を形成する。この空間部は、蓋３が箱本体２を閉じた状態では、箱側掛止部４が設けられている第１箱側凹部２６の上方に位置しており、蓋３を閉じる際に箱側掛止部４を下開口より挿入可能である。なお、図１０（ｂ）に示すように、空間部は、蓋３が箱本体２を閉じた状態では、第１蓋側凹部３７と第１箱側凹部２６とカバー部材１０とに囲まれた状態となる。カバー部材１０の外面は、蓋３および箱本体２の対応部外面と略面一となる形状である。具体的には、カバー部材１０の上壁部１４の上面は蓋３の上面３ａと面一となり、カバー部材１０の側壁部１３の外面は蓋３および箱本体２の側面と面一となる。また、カバー部材１０は、蓋３の第１蓋側凹部３７に装着された状態で蓋３の下面３ｂから下方に突き出した状態となる。この蓋３の下面３ｂから下方に突き出した部分は、第１箱側凹部２６にほぼ収まる大きさである。
【００７３】
図９に示すように、カバー部材１０の側壁部１３の軸方向中間部分には側部開口１１が設けられている。側部開口１１は、カバー部材１０の下端が上方に凹むことにより形成されており、側面操作部８４の一部（上半分）と合致する形状となっている。図１０（ａ）に示すように、この側部開口１１から側面操作部８４が外部に露出しており、側面操作部８４の外面は、カバー部材１０の外面と概ね面一となっている。また、カバー部材１０の上壁部１４の軸方向中間部分には上部開口１２が設けられている。上部開口１２は、カバー部材１０の側端が外側方向に凹むことにより形成されており、上面操作部８５の一部（外側半分）と合致する形状となっている。この上部開口１２から上面操作部８５が外部に露出しており、上面操作部８５の外面は、カバー部材１０の外面と概ね面一となっている。
【００７４】
なお、カバー部材１０の内面（背面）には、カバー部材１０を補強する共にブラケット８１が取り付けられる複数のリブ（図示せず）や、支持シャフト８２を支持する複数のリブ（図示せず）が設けられている。
【００７５】
〔開閉動作〕
次に、蓋を開閉する際の開閉装置１ｂの動作を図１０および図１１に基づいて説明する。
【００７６】
まず、図１１（ａ）に示すように、全開状態または片開き状態で開放されている開閉装置１ｂでは、蓋側掛止部９が付勢部材８３の付勢力により係合位置に保持されている。この係合位置では、蓋側掛止部９の爪部９２がカバー部材１０の側壁部１３のうち、側部開口１１の両側部分（図９参照）の内面に当接規制されている。
【００７７】
この状態から蓋３を箱本体２の上に重ねて閉状態にする際、図１１（ｂ）に示すように、蓋側掛止部９が箱側掛止部４の軸部材４１に爪部９２の円弧状の下面が当接し、この当接による応力により内側へ一旦逃げ、爪部９２が軸部材４１の背面側に接しながら下側へ通過する。通過後は、蓋側掛止部９が付勢部材８３の付勢力により外側方向（係合位置方向）に回動されて、爪部９２が軸部材４１と係合する。
【００７８】
図１０（ａ）及び（ｂ）の右図は閉状態での操作部８および蓋側掛止部９を示している。この状態では、側面操作部８４と第２箱側凹部２７との間の隙間は狭くなっており、側面操作部８４と第２箱側凹部２７との間には指を挿入不能となっている。また、側面操作部８４はカバー部材１０の側壁部１３の外面と概ね面一になっている。
【００７９】
図１０（ａ）及び（ｂ）の左図は、蓋３を箱本体２より外して全開状態とする場合、又は、蓋３を片開き状態とする際の過程を示している。この場合、２通りの開き方が選択可能である。１つは、側面操作部８４を操作して開く方法であり、もう１つは上面操作部８５を操作して開く方法である。
【００８０】
側面操作部８４を操作する場合、指を側面操作部８４の凹部８４ａに差し込み、側面操作部８４を内側方向に押圧する。これにより、側面操作部８４が付勢部材８３の付勢力に抗して内側方向へ回動され、これと連動して、蓋側掛止部９が同方向へ回動される。これにより、軸部材４１に対する爪部９２の係合が解除される。そして、この状態で、側面操作部８４を上へ持ち上げると、側面操作部８４と共に蓋３が上方に移動し、全開状態または片開き状態となる。
【００８１】
また、上面操作部８５を操作する場合は、指を上面操作部８５と第２蓋側凹部３８の縁部３８ａとの間の隙間に挿入し、上面操作部８５に指を掛けて引き上げる。これにより、上面操作部８５が付勢部材８３の付勢力に抗して上方向へ回動され、これと連動して、蓋側掛止部９が内側方向へ回動する。これにより、軸部材４１に対する爪部９２の係合が解除される。そして、この状態で、上面操作部８５を上へ持ち上げると、上面操作部８５と共に蓋３が上方に移動し、全開状態または片開き状態となる。
【００８２】
〔特徴〕
この開閉装置１ｂでも、第１実施形態に係る開閉装置１ａと同様に、上面操作部８５を上方に引き上げる操作と、側面操作部８４を内側方向に押圧する操作との２通りの操作により蓋３の開操作を行うことができる。蓋３の開操作が行い易くなっている。
【００８３】
また、この開閉装置１ｂでは、上面操作部８５はカバー部材１０の上部開口１２から外部に露出しており、側面操作部８４はカバー部材１０の側部開口１１から外部に露出しており、連結部８６などの他の部分がカバー部材１０によって隠されている。また、上面操作部８５は蓋３の上面３ａと面一であり、側面操作部８４は蓋３の側面と面一である。このため、保冷箱１０１の外観上、隙間や凹凸が表れることが少なくなっており、保冷箱１０１の美観が向上している。
【００８４】
＜他の実施形態＞
（Ａ）
上記の実施形態では、蓋側掛止部６，９は、外側方向に付勢されることにより係合位置に保持されており、内側方向に移動することにより箱側掛止部４との係合が解除される。しかし、蓋側掛止部６，９の付勢方向は上記の方向に限られるものではなく、逆に、図１２に示す開閉装置１ｃのように、蓋側掛止部１５が内側方向に付勢されることにより係合位置に保持されてもよい。
【００８５】
この開閉装置１ｃでは、蓋側掛止部１５は、上部に伝達突起１６、下部に爪部１７、そして伝達突起１６と爪部１７との間に支持シャフト１８が通される貫通孔１９が設けられている。伝達突起１６は、蓋側掛止部１５から軸方向に突出して設けられた棒状の部分であり、操作部５の側壁部５２の内面に接触している。爪部１７は内側方向に突出して設けられており、付勢部材（図示せず）によって内側方向に付勢されることによって箱側掛止部４に係合する。蓋側掛止部１５は、支持シャフト１８を中心に回動可能に設けられている。
【００８６】
また、操作部５には、蓋側掛止部１５と操作部５とを強制的に連動させる強制連動部６７が設けられている。強制連動部６７は、蓋側掛止部１５の伝達突起１６の内側側面に係止している。
【００８７】
操作部５の詳細および他の構成は上記の第１実施形態の開閉装置１ａと同様である。
【００８８】
この開閉装置１ｃでは、図１２（ｂ）に示すように、側面操作部５９が押圧され、又は、上面操作部５８が引き上げられることにより、操作部５が回動すると、操作部５の内面によって伝達突起１６が内側方向に押されて移動する。伝達突起１６が内側方向に移動すると、蓋側掛止部１５が支持シャフト１８を中心に回動し、爪部１７が付勢部材の付勢力に抗して外側方向に移動して箱側掛止部４との係合が解除される。
【００８９】
このような開閉装置１ｃによっても、上記の開閉装置１ａ，１ｂと同様に、蓋３の開操作を行い易くすることができる。
【００９０】
また、強制連動部６７が伝達突起１６に係止していることにより、操作部５と蓋側掛止部１５とが必ず連動するようにされている。すなわち、図１２（ｂ）に示す状態から操作部５の側壁部５２が外側方向に回動した場合、伝達突起１６は外側方向に付勢されているために側壁部５２の移動に伴って外側方向に移動するはずであるが、強制連動部６７によっても外側方向に押圧されて移動する。このため、蓋側掛止部１５を操作部５の操作に確実に連動させて移動させることができる。これにより、操作部５が蓋３の表面と面一な状態に戻っているのに蓋側掛止部１５が係合状態に戻っていないというような誤作動状態の発生を防止することができる。
【００９１】
（Ｂ）
上記の他の実施形態（Ａ）では、強制連動部材６７によって誤作動状態の発生が防止されているが、操作部５と伝達突起１６とが互いに押圧し合う方向に付勢されることにより、誤作動状態の発生が防止されてもよい。
【００９２】
例えば、図１３に示す開閉装置１ｄでは、操作部５は付勢部材６９によって内側方向に付勢されている。より具体的には、操作部５の側壁部５２が内側方向に付勢されており、上壁部５１は上方向に付勢されている。また、蓋側掛止部１５の爪部１７は付勢部材６８によって内側方向に付勢されることによって箱側掛止部４に係合する。この場合、伝達突起１６は外側方向、すなわち、操作部５の側壁部５２の内面に押圧される方向に付勢されている。このため、操作部５の側壁部５２と伝達突起１６とは互いに押圧し合う方向に付勢されている。
【００９３】
このような開閉装置１ｄでは、操作部５の側壁部５２と伝達突起１６とが互いに押圧し合う方向に付勢されることにより、側壁部５２と伝達突起１６とが離れることが防止される。これにより、操作部５と蓋側掛止部１５とを確実に連動させることができ、誤作動状態の発生を防止することができる。
【００９４】
なお、付勢部材６９による操作部５への付勢力を付勢部材６８の蓋側掛止部１５への付勢力よりも弱くすることによって、開閉装置１ｄが誤って開状態となってしまうことを防止することができる。
【００９５】
（Ｃ）
上記の実施形態におけるカバー部材７，１０の蓋３に占める部分の範囲は上記のものに限られるものではなく、より大きく、又は、より小さくすることができる。例えば、図１４に示すように、第１実施形態のカバー部材７より大きいカバー部材２０が設けられ、第２蓋側凹部３５がカバー部材２０に設けられてもよい。これにより、上面操作部５８の操作の際に指が差し込まれる隙間が上面操作部５８とカバー部材２０との間に形成される。
【００９６】
（Ｄ）
上記の実施形態では、操作部５，８や蓋側掛止部６，９などは、カバー部材７，１０に取り付けられているが、操作部５，８や蓋側掛止部６，９は開閉操作の際に蓋３と共に移動するように設けられればよく、蓋３に直接取り付けられてもよい。
【００９７】
また、第２実施形態において、カバー部材１０が設けられず、蓋３に側部開口１１や上部開口１２が設けられてもよい。
【００９８】
（Ｅ）
上記の実施形態では、上面操作部５８，８５と側面操作部５９，８４とが一体となって操作部５，８を構成しており、操作部５，８が第１支持シャフト５５や支持シャフト８２を中心に回動することによって、上面操作部５８，８５と側面操作部５９，８４とが連動する構成となっている。しかし、上面操作部と側面操作部とが連動する構成であれば、上面操作部と側面操作部とが別体に形成されてもよい。
【００９９】
（Ｆ）
上記の実施形態に係る開閉装置１ａ〜１ｄでは、付勢部材として、ねじりコイルバネが用いられているが、図１５に示す開閉装置１ｅように、圧縮コイルバネ４３が用いられてもよい。
【０１００】
この開閉装置１ｅでは、蓋側掛止部４４は、上端部に伝達シャフト４５ａが通される貫通孔４６ａ、下端に爪部４７、そして貫通孔４６ａと爪部４７との間に支持シャフト４５ｂが通される貫通孔４６ｂが設けられている。蓋側掛止部４４は、支持シャフト４５ｂを中心に回動可能に設けられている。貫通孔４６ａに通された伝達シャフト４５ａは、操作部４０に設けられた縦長の貫通孔（図示せず）に通されており、操作部４０の動きを蓋側掛止部４４に伝達する。爪部４７は内側方向に突出して設けられており、付勢部材としての圧縮コイルバネ４３によって内側方向に付勢されている。これにより、爪部４７は箱側掛止部４に係合する。また、蓋側掛止部４４の上端には、圧縮コイルバネ４３が取り付けられるバネ取付部４８が設けられている。バネ取付部４８は、内側方向に突出する突起であり、図１６に示すように、内部ケーシング５０の内壁部５０ａに設けられた凹部５０ｂと対向している。なお、図１６は、蓋側掛止部４４、および、蓋側掛止部４４を収容する内部ケーシング５０の上面図である。凹部５０ｂは、内部ケーシング５０の内壁部５０ａの上端に設けられており、圧縮コイルバネ４３を上方から挿入可能となっている。
【０１０１】
操作部４０は、内部ケーシング５０に支持シャフト４５ｃを介して回動可能に支持されている。操作部４０も蓋側掛止部４４と同様に圧縮コイルバネ７５によって付勢されている。この圧縮コイルバネ７５は、操作部４０を外側方向へ付勢している。なお、内部ケーシング５０および蓋側掛止部４４の上方はカバー部材１０によって閉じられており、カバー部材１０の上面と側面とにそれぞれ設けられた開口（図示せず）を通して操作部４０の側面操作部４０ａと上面操作部４０ｂとが外部に露出するようにされている。
【０１０２】
この開閉装置１ｅでは、図１５（ｂ）に示すように、操作部４０の側面操作部４０ａが押圧され、又は、上面操作部４０ｂが引き上げられることにより、操作部４０が回動すると、伝達シャフト４５ａを介して操作部４０の動きが蓋側掛止部４４に伝達される。蓋側掛止部４４が、操作部４０の動きに連動して支持シャフト４５ｂを中心に回動すると、爪部４７が圧縮コイルバネ４３の付勢力に抗して外側方向に移動して箱側掛止部４との係合が解除される。
【０１０３】
このような開閉装置１ｅによっても、上記の開閉装置１ａ〜１ｄと同様に、蓋３の開操作を行い易くすることができる。また、ねじりコイルバネが用いられる場合と比べて、蓋側掛止部４４から伝わる力に対して効率よく反力を生じさせることができる。さらに、バネ取付部４８が蓋側掛止部４４の上端部に設けられ、凹部５０ｂが内部ケーシング５０の内壁部５０ａの上端に設けられているため、圧縮コイルバネ４３を凹部５０ｂおよびバネ取付部４８の上方から容易に取り付けることができる。
【０１０４】
また、図１７に示すように、上記の第２実施形態に係る開閉装置１ｂにおいて、圧縮コイルバネ８９が付勢部材として設けられてもよい。
【０１０５】
（Ｇ）
上記の他の実施形態（Ｆ）では、軸方向に同じ外径を有する圧縮コイルバネ４３が用いられているが、図１８に示すように、軸方向先端側ほど外径が小さくなり先細りの形状を有する円錐バネ４９が用いられてもよい。ここでは、円錐バネ４９は、蓋側掛止部９の箱側掛止部４と反対側、すなわち、蓋側掛止部９の内側に設けられている。
【０１０６】
この場合、円錐バネ４９は、上記のような円筒形の圧縮コイルバネ４３と比べて圧縮時に軸方向長さを短くすることができるため、蓋側掛止部９の箱側掛止部４と反対側の狭い空間であっても、容易に配置することができる。
【０１０７】
（Ｈ）
上記の他の実施形態（Ｆ）では、付勢部材として圧縮コイルバネ４３が設けられているが、圧縮コイルバネに代えて引張コイルバネが設けられてもよい。
【産業上の利用可能性】
【０１０８】
本発明は、蓋の開操作を行い易くすることができる効果を有し、保冷箱の開閉装置として有用である。
【図面の簡単な説明】
【０１０９】
【図１】第１実施形態に係る開閉装置を適用した保冷箱の概略外観図。
【図２】図１におけるＡ−Ａ断面の概略図。
【図３】第１実施形態に係る開閉装置の蓋側掛止部近傍の側面断面図
【図４】第１実施形態に係る開閉装置の操作部近傍の側面断面図。
【図５】開閉装置を閉状態にするときの開閉装置の動作を示す図。
【図６】開閉装置を開状態にするときの開閉装置の動作を示す図。
【図７】回動ヒンジとして機能する開閉装置の状態を示す図。
【図８】第２実施形態に係る開閉装置を適用した保冷箱の概略外観図。
【図９】第２実施形態に係る開閉装置の操作部およびカバー部材を示す図。
【図１０】開閉装置を開状態にするときの開閉装置の動作を示す図。
【図１１】開閉装置を閉状態にするときの開閉装置の動作を示す図。
【図１２】他の実施形態に係る開閉装置を示す図。
【図１３】他の実施形態に係る開閉装置を示す図。
【図１４】他の実施形態に係る開閉装置を示す図。
【図１５】他の実施形態に係る開閉装置を示す図。
【図１６】他の実施形態に係る開閉装置を示す図。
【図１７】他の実施形態に係る開閉装置を示す図。
【図１８】他の実施形態に係る開閉装置を示す図。
【符号の説明】
【０１１０】
１ａ−１ｄ            開閉装置
２                    箱本体
３                    蓋
４                    箱側掛止部
５，８，４０          操作部
６，９，１５，４４    蓋側掛止部
７，１０，２０        カバー部材
１３                  側壁部（外側立壁部）
１６                  伝達突起（伝達部）
３５，３８            第２蓋側凹部（凹部）
５７，４５ａ          伝達シャフト（伝達部）
５８，８５，４０ｂ    上面操作部
５９，８４，４０ａ    側面操作部
５５，５６，６５，８３，６８，６９，４３，４９，８９  付勢部材
１００，１０１        保冷箱
【図１】
2007331839.tif 000003
【図２】
2007331839.tif 000004
【図３】
2007331839.tif 000005
【図４】
2007331839.tif 000006
【図５】
2007331839.tif 000007
【図６】
2007331839.tif 000008
【図７】
2007331839.tif 000009
【図８】
2007331839.tif 000010
【図９】
2007331839.tif 000011
【図１０】
2007331839.tif 000012
【図１１】
2007331839.tif 000013
【図１２】
2007331839.tif 000014
【図１３】
2007331839.tif 000015
【図１４】
2007331839.tif 000016
【図１５】
2007331839.tif 000017
【図１６】
2007331839.tif 000018
【図１７】
2007331839.tif 000019
【図１８】
2007331839.tif 000020